(57)【要約】【課題】従来の投射型ディスプレイシステムの画質よりも優れた画質を提供するハイブリッド投射型ディスプレイシステムを提供すること。【解決手段】提供されるハイブリッド投射型ディスプレイシステムは、任意の画面サイズ及び非平面画面表面を柔軟にサポートする。【選択図】図２
2017054109.tif 000002
【特許請求の範囲】
【請求項１】
画像信号を受け取り、それから画像データ及び画面コントロールを生成するように構成されたコントローラであって、前記画面コントロールが、電源電圧（Ｖｓ）、第１のゲート電圧（ＶＧ１）、第２のゲート電圧（ＶＧ２）、電力供給（Ｖｄｄ）、及び接地（ＧＮＤ）を備える、コントローラと、
前記コントローラに結合され、（ｉ）前記画像データを受け取り、（ｉｉ）それから光信号を生成し、（ｉｉｉ）前記光信号を投射するように構成された画像ソースと、
（ｉ）前記コントローラに結合され、（ｉｉ）前記画面コントロールを受け取るように構成され、（ｉｉｉ）前記光信号を受け取るように向けられた画面組立品であって、前記光信号を受け取ることに応答して作動する第１の表示素子を備える画面組立品と
を備えるディスプレイシステムであって、前記第１の表示素子が、
ゲート、ドレイン及びソースを備える第１のトランジスタ（Ｔ１）と、
ゲート、ドレイン及びソースを備える第２のトランジスタ（Ｔ２）と、
ゲート、ドレイン及びソースを備える第３のトランジスタ（Ｔ３）と、
第１の端子及び第２の端子を備えるダイオードと、
第１の端子及び第２の端子を備える抵抗器と、
第１の端子及び第２の端子を備えるコンデンサと
を備え、
前記Ｔ２のゲートがＶＧ１に結合され、前記Ｔ２のドレインが前記Ｔ３のゲート及び前記コンデンサの前記第１の端子に結合され、前記Ｔ２のソースが前記Ｔ１のドレインに結合され、
前記Ｔ１のゲートがＶＧ２に結合され、前記Ｔ１のソースがＶｓに結合され、前記Ｔ１のドレインが前記抵抗器の前記第１の端子に結合され、
前記Ｔ３のドレインがＶｄｄに結合され、前記Ｔ３のソースが前記ダイオードの前記第１の端子に結合され、
前記抵抗器の前記第２の端子、前記コンデンサの前記第２の端子、及び前記ダイオードの前記第２の端子が、各々、ＧＮＤに結合される、ディスプレイシステム。
【請求項２】
Ｔ１が光トランジスタであり、Ｔ２及びＴ３が従来の薄膜トランジスタである、請求項１に記載のディスプレイシステム。
【請求項３】
前記ダイオードが有機発光ダイオード（ＯＬＥＤ）であり、前記コンデンサが、前記ＯＬＥＤを所望の画素輝度に対応する電流で駆動するのに十分な電圧まで前記Ｔ３のゲートを充電するようにサイズ設定される、請求項２に記載のディスプレイシステム。
【発明の詳細な説明】
【技術分野】
【０００１】
[0001]本明細書に説明する主題の実施形態は、一般にディスプレイシステムに関し、より詳しくは、従来の投射型ディスプレイシステムの画質よりも優れた画質を提供する一方で、任意の画面サイズ及び非平面画面表面を柔軟にサポートするハイブリッド投射型ディスプレイシステムに関する。
【背景技術】
【０００２】
[0002]ディスプレイシステムの顧客、特に航空機ディスプレイシステムの顧客は、不規則なサイズ及び形状を有する画面を有する一方で、しかも最大限の画面を提供するディスプレイシステムをしばしば所望する。場合により、不規則なサイズ及び形状を有する画面への要求を満足させるために、背面投射型ディスプレイシステムが使用されてきた。直視型ディスプレイシステムと異なり、背面投射型ディスプレイシステムは、典型的には、全体的に受動の拡散画面を有し、その上に画像が表示されるが、受動であることにより、任意の形状にすることができる。さらに、背面投射型ディスプレイは、複数の画像ソース又はプロジェクタを使用して、操縦室全体にわたる１つの大型ディスプレイ画像を生じることができる。しかし、背面投射型ディスプレイは、航空機ディスプレイシステムの光学性能要件を満たさないことがよくある。
【０００３】
[0003]従来の直視型ディスプレイシステムにおける画面など、現在の能動ディスプレイ画面には、航空機ディスプレイシステムの光学性能要件を満たす液晶ディスプレイ（ＬＣＤ：ｌｉｑｕｉｄ  ｃｒｙｓｔａｌ  ｄｉｓｐｌａｙ）や有機発光ダイオード（ＯＬＥＤ：ｏｒｇａｎｉｃ  ｌｉｇｈｔ  ｅｍｉｔｔｉｎｇ  ｄｉｏｄｅ）などの表示素子を備えるものもある。しかし、現在の能動ディスプレイ画面は、一般に、各表示素子によって必要とされる電力及び電子制御信号に対応するために長方形に限定される。非長方形を有するＬＣＤ又はＯＬＥＤを生産する試みは、多くの用途、特に少量から中程度の数量までのディスプレイを必要とする用途にはこれまで経済的に実現不可能であった。
【発明の概要】
【発明が解決しようとする課題】
【０００４】
[0004]したがって、従来の投射型ディスプレイシステムの画質よりも優れた画質を提供する一方で、背面投射型ディスプレイシステムと同様に任意の画面サイズ及び非平面画面表面を柔軟にサポートするハイブリッド投射型ディスプレイシステムが所望される。本発明は所望の特徴を提供する。
【課題を解決するための手段】
【０００５】
[0005]本概要は、以下に発明を実施するための形態の項においてさらに説明される、簡略化された形で概念の抜粋を紹介するために設けられる。本概要は、特許請求される主題の主要な特徴又は必要不可欠な特徴を識別することは意図されていないし、特許請求される主題の範囲を決定する際の補助として使用されることも意図されていない。
【０００６】
[0006]ディスプレイシステムが提供される。ディスプレイシステムは、
画像信号を受け取り、それから画像データ及び画面コントロールを生成するように構成されたコントローラであって、画面コントロールが、電源電圧（Ｖｓ）、第１のゲート電圧（ＶＧ１）、第２のゲート電圧（ＶＧ２）、電力供給（Ｖｄｄ）、及び接地（ＧＮＤ）を備える、コントローラと、
コントローラに結合され、（ｉ）画像データを受け取り（ｉｉ）、それから光信号を生成し、（ｉｉｉ）光信号を投射するように構成された画像ソースと、
（ｉ）コントローラに結合され、（ｉｉ）画面コントロールを受け取るように構成され、（ｉｉｉ）光信号を受け取るように向けられた画面組立品であって、光信号を受け取ることに応答して作動する第１の表示素子を備える画面組立品とを備え、第１の表示素子が、
ゲート、ドレイン及びソースを備える第１のトランジスタ（Ｔ１）と、
ゲート、ドレイン及びソースを備える第２のトランジスタ（Ｔ２）と、
ゲート、ドレイン及びソースを備える第３のトランジスタ（Ｔ３）と、
第１の端子及び第２の端子を備えるダイオードと、
第１の端子及び第２の端子を備える抵抗器と、
第１の端子及び第２の端子を備えるコンデンサとを備え、
Ｔ２のゲートがＶＧ１に結合され、Ｔ２のドレインがＴ３のゲート及びコンデンサの第１の端子に結合され、Ｔ２のソースがＴ１のドレインに結合され、
Ｔ１のゲートがＶＧ２に結合され、Ｔ１のソースがＶｓに結合され、Ｔ１のドレインが抵抗器の第１の端子に結合され、
Ｔ３のドレインがＶｄｄに結合され、Ｔ３のソースがダイオードの第１の端子に結合され、
抵抗器の第２の端子、コンデンサの第２の端子、及びダイオードの第２の端子が、各々、ＧＮＤに結合される。
【０００７】
[0007]別のディスプレイシステムが提供される。ディスプレイシステムは、
画像信号を受け取り、それから画像データ及び画面コントロールを生成するように構成されたコントローラと、
コントローラに結合され、（ｉ）画像データを受け取り、（ｉｉ）それから赤色画素データ、青色画素データ、及び緑色画素データを備える光信号を生成し、（ｉｉｉ）光信号を投射するように構成された画像ソースと、
複数の縁部を有する画面組立品であって、（ｉ）コントローラに結合され、（ｉｉ）複数の縁部のうちの１つの縁部に沿って画面コントロールを受け取るように構成され、（ｉｉｉ）光信号を受け取る向きにされた画面組立品とを備え、
画面組立品は、複数の表示素子を備え、複数の表示素子の各表示素子は、赤色表示素子、青色表示素子、及び緑色表示素子を備える組の１つである。
【０００８】
[0008]さらに別のディスプレイシステムが提供される。ディスプレイシステムは、
画像信号を受け取り、それから画像データ及び画面コントロールを生成するように構成されたコントローラであって、画面コントロールが赤色色選択線、青色色選択線、及び緑色色選択線を備える、コントローラと、
コントローラに結合され、（ｉ）画像データを受け取り、（ｉｉ）それから赤色画素データ、青色画素データ、及び緑色画素データを備える光信号を生成し、（ｉｉｉ）光信号を投射するように構成された画像ソースと、
複数の縁部を有する画面組立品であって、（ｉ）コントローラに結合され、（ｉｉ）複数の縁部のうちの１つの縁部に沿って画面コントロールを受け取るように構成され、（ｉｉｉ）光信号を受け取る向きにされた画面組立品とを備え、
画面組立品は、画素行列で配列された複数の表示素子を備え、複数の表示素子の各表示素子は、赤色色選択線に結合された赤色表示素子、青色色選択線に結合された青色表示素子、及び緑色色選択線に結合された緑色表示素子を備える組の１つである。
【０００９】
[0009]他の望ましい特徴は、付属の図面及び本背景技術と併せて以下の詳細な説明及び添付の特許請求の範囲から明らかとなるであろう。
[0010]主題のより完全な理解は、図全体を通して同じ符号が同様の要素を表す以下の図と併せて検討されたとき、以下の発明を実施するための形態及び特許請求の範囲を参照することによって得ることができる。
【図面の簡単な説明】
【００１０】
【図１】[0011]例示的な実施形態によるディスプレイシステムの簡略化された図である。
【図１Ａ】[0012]画面組立品内の表示素子を示す、図１の一部分の拡大図である。
【図２】[0013]例示的な実施形態による、さらなる詳細を提供する図１の構成図である。
【図３】[0014]例示的な実施形態による表示素子の回路図である。
【図４】[0015]例示的な実施形態による、表示素子及び関連した画面コントロールの配列を示す図である。
【図５】[0016]例示的な実施形態による、色順次画素駆動方式を示す簡略化されたタイミング図である。
【発明を実施するための形態】
【００１１】
[0017]以下の発明を実施するための形態は、本質的に単に例示的であるにすぎず、主題の実施形態又はそのような実施形態の適用及び使用を限定することが意図されていない。本明細書では、「例示的な（ｅｘｅｍｐｌａｒｙ）」という単語は、「例、事例、又は例示として働くこと」を意味する。本明細書に例示的なとして説明する任意の実装形態は、必ずしも任意の他の実装形態よりも好ましい又は有利であるわけではないと解釈すべきである。さらに、先行する技術分野、背景技術、発明の概要又は以下の発明を実施するための形態に提示される任意の明示的な又は黙示的な理論によって制約される意図はない。
【００１２】
[0018]簡潔さのために、周知のグラフィックス及び画像処理、センサ並びに他のあるシステム及びサブシステム（及びその個々の動作構成要素）の機能面に関連した従来の技法は、本明細書では詳細に説明されない可能性がある。さらに、本明細書に含まれる様々な図に示す接続線は、様々な要素間の例示的な機能関係及び／又は物理的結合を表すことが意図されている。多くの代替又は追加の機能関係又は物理的接続が主題の実施形態に存在し得ることに留意されたい。
【００１３】
[0019]技法及び技術は、機能及び／又は論理ブロック構成要素の観点から、並びにコントローラ１０４などの様々なコンピューティング構成要素又はデバイスによって実施され得る動作、処理タスク及び機能を表す記号に関して、本明細書に説明することができる。そのような動作、タスク、及び機能は、プロセッサ実行、コンピュータ実行、コンピュータ化、ソフトウェア実装、又はコンピュータ実装されると称することがある。実際には、コントローラ１０４は、ディスプレイシステムのプロセッサ電子機器内のメモリ位置におけるデータビットを表す電気信号を操作することによって、並びに他の信号の処理によって、説明される動作、タスク、及び機能を実行するように構成された１つ又は複数のプロセッサデバイスとして実装することができる。データビットがプロセッサ電子機器内で維持されるメモリ位置は、データビットに対応する特定の電気、磁気、光学、又は有機特性を有する物理的位置である。図に示す様々なブロック構成要素は、指定の機能を実施するように構成された任意の数のハードウェア、ソフトウェア、及び／又はファームウェア構成要素によって実現することができることを認識されたい。例えば、システム又は構成要素の実施形態は、１つ又は複数のマイクロプロセッサ又は他の制御デバイスの制御の下で様々な機能を実行することができる様々な集積回路構成要素、例えば、メモリ素子、デジタル信号処理素子、論理素子、ルックアップテーブルなどを採用することができる。
【００１４】
[0020]以下の説明は、互いに「結合される（ｃｏｕｐｌｅｄ）」要素又はノード又は特徴を表すことができる。本明細書では、及び以上の説明と一致して、明示的に別段の定めをした場合を除き、「結合される」とは、１つの要素／ノード／特徴が直接又は間接的に別の要素／ノード／特徴と、及び必ずしも機械的ではなく、接合される（又は直接又は間接的に通信する）ことを意味する。したがって、図面は要素の１つの例示的な配列を示すことができるが、追加の介在要素、デバイス、特徴、又は構成要素は、示される主題の実施形態に存在することができる。さらに、ある述語は、参照だけのために以下の説明で使用することもでき、したがって、限定することが意図されていない。
【００１５】
[0021]本明細書に説明する実施形態は、単に例にすぎず、任意の航空電子機器、宇宙航行学、地上、又は水中／水上用途において任意の窓上に新規のシステム及び方法を実装するためのガイドとして働く。本明細書では、「光信号」は、所定のパターンで１つから複数の光の波長を含む。光信号は、記号使用、英数字情報、ビデオ、及び／又は図の任意の組合せを表すことができる。本明細書に提示する例は、非制限的として意図されている。
【００１６】
[0022]図１は、例示的な実施形態によるディスプレイシステム１００の簡略化された図である。コントローラ１０４は、画像ソース１０２及び画面組立品１０６に結合され、それらと能動的に通信する。画像信号１０８は、ビデオグラフィックスアレイ（ＶＧＡ）、デジタルビデオインターフェイス（ＤＶＩ）、又は任意の同様の画像情報のソースから来ることができる。コントローラ１０４は、画像信号１０８を受け取り、それを処理し、それから画像データ１０３及び画面コントロール１０５を生成する。
【００１７】
[0023]画像ソース１０２は、画像データ１０３を受け取るように構成される。画像データ１０３の受領に応答して、画像ソース１０２はそれから光信号１０７を生成する。光信号１０７は、画素行列で構成された「画素データ」を備える。光信号１０７は、一般に、動的又は静的画像を表す１つ又は複数の明確な光の波長帯である。画像ソース１０２は、本明細書では光信号１０７と称する画素データを投射することができるプロジェクタ、走査レーザソース、又は任意の同様のデバイスでよい。
【００１８】
[0024]画像ソース１０２は、電子及び／又は機械制御の下にあることができ、画像の個々のフレームを投射するための様々な方法を採用することができる。したがって、画像ソース１０２は、画像に関連付けられた画素行列を生じる役目を果たすことができ、太陽光又は他の周囲光の存在下でディスプレイの可視性を維持する輝度を有するように調整することができ、様々な同期技法を採用することができる。実施形態において、画像ソース１０２は、面順次モード及び色順次モードの両方で動作する。
【００１９】
[0025]画面組立品１０６は、コントローラ１０４に結合され、コントローラ１０４から画面コントロール１０５を受け取る。画面組立品１０６は、やはり光信号１０７を受け取るように向けられる。画面組立品１０６は、図４に関連してより詳細に説明される、表示素子（図１Ａ及び図３の３００）の複数１１０が反復群で画面組立品１０６内に配列される（図４、４１４）表示素子（図１Ａ及び図３の３００）の複数１１０を備える。表示素子（図３の３００）の各々の動作は、画面コントロール１０５と光信号１０７との同期相互作用に基づく（同期タイミングは図５に関連してより詳細に説明される）。画面組立品１０６の様々な実施形態を採用することができ、画面組立品１０６は、実質的に平面であることができ、屈曲を有し、及び／又は不規則である又は非長方形である境界を有することができる。
【００２０】
[0026]図２は、例示的な実施形態による、さらなる詳細を提供する図１の構成図である。コントローラ１０４からの画面コントロール１０５は、電源電圧（Ｖｓ）、第１のゲート電圧（ＶＧ１）、第２のゲート電圧（ＶＧ２）、電力供給（Ｖｄｄ）、及び接地（ＧＮＤ）を備える。様々な実施形態において、これらの画面制御電圧の各々は、単独又は組合せのいずれかで色選択信号として働くことができる。例示的な実施形態として、図２は、赤色、緑色及び青色画像コンテンツ（Ｒ、Ｇ、Ｂ）の色選択信号として複数のＶｓ線の使用を示す。上述のように、画面組立品１０６を構成する表示素子（図３の３００）の各々の動作は、様々な画面コントロール１０５と光信号１０７との同期相互作用に基づく。以下の図において、表示素子の特徴は、関連する画面コントロール１０５への結合を含んで示される。例示的な実施形態の同期タイミングは、図５に関連して説明される。
【００２１】
[0027]図３は、例示的な実施形態による表示素子３００の回路図である。当業者は、表示素子３００が「画素」又は「画素素子」と称することができることを認めるであろう。例示的な実施形態において、表示素子３００の複数１１０は、反復群（図４の４１４）で画面組立品１０６内に配列される。
【００２２】
[0028]画面コントロール１０５を構成する信号、すなわち、電源電圧（Ｖｓ）３０１、第１のゲート電圧（ＶＧ１）３０５、第２のゲート電圧（ＶＧ２）３０７、電力供給（Ｖｄｄ）３０３、及び接地（ＧＮＤ）３０９を示す。例示的な実施形態において、表示素子３００の様々な構成要素が以下のように構成される。第１のトランジスタＴ１  ３０２が、そのゲートに結合されたＶＧ２  ３０７を有し、そのソースに結合されたＶｓ３０１及びノード３１０に結合されたドレインを有し、ノード３１０は抵抗器Ｒｓ３１６を介してＧＮＤ３０９に結合される。例示的な実施形態において、Ｔ１  ３０２は、光信号１０７の少なくとも１つの構成要素に対して感受性がある光トランジスタである。第２のトランジスタＴ２  ３０６は、そのゲートに結合されたＶＧ１  ３０５、そのドレインに結合されたノード３１２、及びノード３１０に結合されたソースを有する。ノード３１２は、さらに、コンデンサＣｓ３１８の第１の端子及び第３のトランジスタＴ３  ３０８のゲートに結合される。第３のトランジスタＴ３  ３０８は、電力供給Ｖｄｄ３０３に結合されたドレイン及びダイオード３０４の第１の端子に結合されたソースを有する。コンデンサＣｓ３１８の第２の端子及びダイオード３０４の第２の端子は、各々ＧＮＤ３０９に結合される。表示素子３００の一実施形態は、以下に、より詳細に説明するように、Ｔ１  ３０２及びダイオード３０４の特性が表示素子３００の別の実施形態と異なることができる。
【００２３】
[0029]動作において、光信号１０７が画面組立品１０６に当たったとき、又は画面組立品１０６によって受け取られたとき、１つ又は複数の表示素子３００が「作動」する。本明細書では、表示素子３００の「作動」とは、光信号１０７を受け取ることに応答して、それぞれの有効な（光）トランジスタＴ１  ３０２が作動し、画素トランジスタＴ２  ３０６を有効にして、駆動トランジスタＴ３  ３０８を有効にし、それによって、次いでＯＬＥＤダイオード３０４を駆動して、光の波長帯を画素輝度要件に応じて放射することを意味する。したがって、ＶＧ１、ＶＧ２、及びＶｓ上の適当な電圧により、表示素子３００が光信号１０７によって作動したとき、コンデンサＣｓ３１８及びＴ３のゲート３０８が所望の電流を電力供給ＶＤＤ３０３からＯＬＥＤダイオード３０４中を駆動させるのに十分な電圧まで充電される。ＯＬＥＤダイオード３０４が所望の光出力レベルを放射するための所望の電流は、画素輝度要件に一致することができる。
【００２４】
[0030]実際には、表示素子３００の様々な構成要素のサイズ及び特性は、意図された用途により、必要とされる通りの表示素子３００の作動を確実にするために異なることができる。実施形態において、Ｔ１  ３０２は、可視光及び近赤外光に対して感受性があるようにするためにアモルファスシリコン技術において作製された光トランジスタであり、Ｔ２  ３０６及びＴ３  ３０８は、従来の薄膜トランジスタである。ダイオード３０４は、高画素開口率を実現するためにトップエミッションアーキテクチャを使用して作製される有機発光ダイオード（ＯＬＥＤ）でよい。ダイオード３０４は、特に高画素開口率を維持することが大きな問題ではない低解像度ディスプレイにボトムエミッションアーキテクチャを使用して製作することもできる。別の実施形態において、ダイオード３０４は、シャドーマスク（真空）蒸着法により、又はインクジェット印刷により製作することができる。実施形態において、ゲート選択電圧ＶＧ１  ３０５は、有効にするのにおよそ１５ボルト、及び無効にするのにおよそマイナス５ボルトを必要とすることができ、ゲート選択電圧ＶＧ２  ３０７は、有効にするのにおよそ２０ボルト及び無効にするのにおよそマイナス５ボルトでよく、電源電圧Ｖｓ３０１の要件は、およそ１０から１５ボルトでよい。
【００２５】
[0031]さらに、実施形態において、赤色表示素子は、Ｔ１  ３０２、Ｔ２  ３０６、Ｔ３  ３０８、ダイオード３０４、Ｒｓ３１６、及びＣｓ３１８の第１のサイズ及び特性の組を有することができ、青色表示素子は、Ｔ１  ３０２、Ｔ２  ３０６、Ｔ３  ３０８、ダイオード３０４、Ｒｓ３１６、及びＣｓ３１８の第２のサイズ及び特性の組を有することができ、緑色表示素子は、Ｔ１  ３０２、Ｔ２  ３０６、Ｔ３  ３０８、ダイオード３０４、Ｒｓ３１６、及びＣｓ３１８の第３のサイズ及び特性の組を有することができる。
【００２６】
[0032]図４は、例示的な実施形態による、表示素子の配列及び関連した画面コントロール４０４を有する画面組立品４００を示す図である。画面組立品４００は、画素行列を画定する複数の反復群４１４を有する領域４０２を備え、各反復群４１４は、１つの赤色表示素子４２０と、１つの青色表示素子４１８と、１つの緑色表示素子４１６とを備える。画面コントロール１０５のパッドは、１つの区域４０４、具体的には、画面組立品４００の縁部４１２に限定されて示される。各個々の表示素子のＶｓ（赤色、青色、及び緑色の色選択線として示す実施形態に使用される）は、相互接続され、３つのそれぞれの大域相互接続パッドに経路設定される。Ｖｄｄは、すべての表示素子の大域電力供給である。同様に、ＧＮＤ並びにゲート選択ＶＧ１及びＶＧ２は、図示するように、単独で各表示素子に接続され、画面組立品４００の縁部４１２におけるそれぞれの相互接続パッドに結合される。
【００２７】
[0033]画素行列（又は、表示素子の行列）は、画像ソース１０２によって生成され、光信号１０７で投射される画素行列に応答する。１対１画素対応は、２つの画素行列構成間で使用することができるが、これは必須ではない。光信号１０７の空間周波数帯域制限及び関連した技法は、任意選択で、２つの画素行列構成間のモアレやエイリアシングなどのアーチファクトを防止するのに使用することができる。実施形態において、光信号１０７は、赤色画素データと、青色画素データと、緑色画素データと（画素データは、一般に、生成され画面組立品４００に出力される光の波長帯に対応する）を含む画素行列情報を備える。画素データは、画面コントロール１０５と同期する。
【００２８】
[0034]複数のＶｓ（電源電圧）線を色選択線として利用する実施形態では、画面コントロール１０５の各色選択Ｖｓは、赤色色選択ＶｓＲと、青色色選択ＶｓＢと、緑色色選択ＶｓＧと（個別の色選択電圧信号は図５に関連してより詳細に説明される）を備える組から選択される。したがって、例示的な実施形態において、赤色色選択ＶｓＲは、赤色表示素子４２０においてＴ１  ３０２のソースに結合され、青色色選択ＶｓＢは、青色表示素子４１８においてＴ１  ３０２のソースに結合され、緑色色選択ＶｓＧは、緑色表示素子４１６においてＴ１  ３０２のソースに結合される。
【００２９】
[0035]画面コントロール１０５の相互接続パッドを１つの区域だけに、具体的には縁部４１２に限定することにより、左側４０６、頂部４０８、及び右側４１０で示すように、残りの区域（画面コントロール１０５の相互接続パッドなしの画面組立品４００内の区域）を様々な不規則な形状及び／又は非長方形に切り込むことが可能になる。さらに、画面組立品４００は屈曲又は湾曲させることができる。画面コントロールを有する縁部４１２は、さらに、画面組立品４００を操作卓又は操縦席構造に取り付けるのに使用することができる。側面４０６、４０８及び４１０が表示素子４１６、４１８及び４２０を避けるものとして示されるが、これは、適切な切断方法、レーザトリミング、又は他の手段を介してなど、関連する画面コントロール１０５間の短絡を避けるように注意を払うという条件で、限定ではない。
【００３０】
[0036]画面組立品４００は、表示素子、特にダイオード３０４の特徴に適合する障壁層を有するガラス又は可撓性プラスチック製でよい。ＯＬＥＤデバイスを使用する実施形態では、ＯＬＥＤ層は、ガラス基板を使用して、又は縁部封止積層とは対照的に全面積層を有する障壁塗膜プラスチック基板を用いて外部環境から封止することができる。全面積層は、さらに、ＯＬＥＤデバイスを酸素及び湿気の劣化環境に暴露する懸念なく画面組立品１０６を任意の及び不規則な形状に切り込むことをサポートする。
【００３１】
[0037]図５は、複数の電源電圧（Ｖｓ）線を色選択線として利用する、例示的な実施形態による、色順次画素駆動方式を示す簡略化されたタイミング図５００である。概要として、コントローラ１０４は、ゲート選択電圧ＶＧ１  ５０５及びＶＧ２  ５０７、並びに１つの色選択電圧Ｖｓを順次制御する。例えば、赤色５０９は、ＶＧ１  ５０５、ＶＧ２  ５０７、及びＶｓＲ５０２が、各々、それらのそれぞれの「高レベル」電圧にあるとき、アサートされる。同様に、緑色５１１は、ＶＧ１  ５０５、ＶＧ２  ５０７、及びＶｓＧ５０４が、各々、それらのそれぞれの「高レベル」電圧にあるとき、アサートされ、青色５１３は、ＶＧ１  ５０５、ＶＧ２  ５０７  及びＶｓＢ５０６が、各々、それらのそれぞれの「高レベル」電圧にあるとき、アサートされる。とりわけ、各々の場合、色選択電圧は、それぞれ、時間間隔デルタｔ５１２、デルタｔ５１６、及びデルタｔ５２０だけ遅延して、それぞれの画素（表示素子３００）において駆動／書き込みされた任意の前の情報が、現在の情報を書き込む（「情報を書き込む」とは、所望の電流を供給して、Ｔ３のゲート３０８を、ＯＬＥＤダイオード３０４を画素輝度要件に駆動するレベルまで充電することを意味する）前に放電されることを確実にする。Ｔ１  ３０２の特性により、入射光を提供して、表示素子３００を放電することが必要であり得る。実施形態において、光信号１０７は、デルタｔ５１２、５１６及び５２０と同期した光の短い間隔を含む。これらの光信号は、対応する色のＴ１  ３０２トランジスタだけに達するように構成することができ、又はすべてのＴ１  ３０２トランジスタを同時に照射するように構成することができる。
【００３２】
[0038]本明細書に説明するように、赤色、青色、及び緑色の光の波長は、それぞれ、赤色、青色、及び緑色表示素子の１つ又は複数の構成要素によって放射される。前述のように、画像ソース１０２は、それぞれの色の画素を充電することが必要なとき、光信号１０７がそれぞれの光トランジスタＴ１  ３０２を作動させるタイミングに適切に合うように、画素駆動方式と同期する光信号１０７を生成するように構成される。図５に示すように、ＶＧ１  ５０５、ＶＧ２  ５０７、及びＶｓＲ５０２をアサートして赤色５０９に書き込むことに応答して、赤色画素が充電し５１４、ＶＧ１  ５０５、ＶＧ２  ５０７、及びＶｓＧ５０４をアサートして緑色５１１に書き込むことに応答して、緑色画素が充電し５１８、ＶＧ１  ５０５、ＶＧ２  ５０７、及びＶｓＢ５０６をアサートして青色５１３に書き込むことに応答して、青色画素が充電する５２２。一実施形態において、光信号１０７は、各光トランジスタＴ１  ３０２を作動させるために単一の波長帯を含む。
【００３３】
[0039]別の例示的な実施形態において、複数のＶＧ１線が表示素子３００の色選択線として使用される。動作は、各々その対応する色のパルスを有する複数のＶＧ１トレースがあること、及びすべての構成色によって共有される単一のＶｓ線があることを除いて、図５に示す動作と同様である。別の実施形態において、Ｖｓ信号レベルは、対応する色選択ＶＧ１線によってその時点に作動する構成色により異なることができる。同様の実施形態において、共有される（単一の）ＶＧ１及びＶｓ線と併せて、複数のＶＧ２線が色選択線として使用される。
【００３４】
[0040]画面コントロール１０５における信号パルスの持続時間又はデューティサイクルは、必要に応じ調整することができる。例えば、実施形態において、光信号１０７は、アナログ出力制御をすることができる画像ソース１０２の場合など、画面コントロール１０５の個々のパルスの間、実質的に一定であり得る。別の実施形態において、光信号１０７は、当技術分野で周知であるようなＤＬＰ又は走査レーザ画像ソース１０２の場合など、画面制御パルスの間、一時的に変調することができる。いずれの場合も、パルスの持続時間は、Ｃｓ３１８を充電するための効果的な統合に適切に設定することができる。
【００３５】
[0041]さらに別の実施形態において、光トランジスタＴ１  ３０２の特性は、光感受性応答への色選択性の包含によって、例えば、対応する色フィルタ（例えば、Ｒ、Ｇ、Ｂ）を用いて各光トランジスタＴ１  ３０２の光感受性領域を扱うことによって変更される。この実施形態において、各表示素子は、同じ画面コントロール１０５を共有し、色選択信号は、光信号１０７内に含まれる複数の波長帯によって提供される。
【００３６】
[0042]表示素子３００においてＣｓ３１８を直接放電させるための追加のトランジスタ及び制御線の包含など、追加の要素及び／又は制御線を含めて、機能性を高めることができる。
【００３７】
[0043]従来の６０ヘルツ投射型ディスプレイシステムにおいて、赤色画素は、フレーム時間の３分の１にわたって書き込まれ、青色画素は、フレーム時間の３分の１にわたって書き込まれ、緑色画素は、フレーム時間の３分の１にわたって書き込まれ、又は、およそ３３％のデューティサイクルである。有利には、本明細書に採用される画素駆動方式により、色の画素は１００％のデューティサイクルに近づくことが可能になり得、それによって、輝度及び効率が増大し得る。さらに、一度に画面組立品における線に「書き込む」又は線を作動させるディスプレイシステムと異なり、例示的な実施形態により、遠隔画像ソース１０２が、画面組立品４００内で、一度にすべての赤色表示素子４２０、一度にすべての青色表示素子４１８、及び一度にすべての緑色表示素子４１６を作動させることが可能になる。
【００３８】
[0044]したがって、従来の投射型ディスプレイシステムの画質よりも優れた画質を提供する一方で、背面投射型ディスプレイシステムと同様の任意の画面サイズ及び非平面画面表面を柔軟にサポートするハイブリッド投射型ディスプレイシステムが提供される。
【００３９】
[0045]少なくとも１つの例示的な実施形態を上述の詳細な説明で提示してきたが、莫大な数の変形が存在することを認識されたい。本明細書に説明する例示的な実施形態は、特許請求される主題の範囲、適用性、又は構成を限定することが決して意図されていないことも認識されたい。むしろ、上述の詳細な説明は、説明される実施形態を実装するための便利な手引きを当業者に提供する。本特許出願の出願時点において周知の同等物及び予測可能な同等物を含む、特許請求の範囲によって定義される範囲から逸脱することなく、要素の機能及び配列において様々な変更を加えることができることを理解されたい。
【符号の説明】
【００４０】
１００  ディスプレイシステム
１０２  画像ソース
１０３  画像データ
１０４  コントローラ
１０５  画面コントロール
１０６  画面組立品
１０７  光信号
１０８  画像信号
１１０  表示素子の複数
３００  表示素子
３０１  電源電圧（Ｖｓ）
３０２  第１のトランジスタ、光トランジスタ
３０３  電力供給（Ｖｄｄ）
３０４  ダイオード、ＯＬＥＤダイオード
３０５  第１のゲート電圧（ＶＧ１）
３０６  第２のトランジスタ、画素トランジスタ
３０７  第２のゲート電圧（ＶＧ２）
３０８  第３のトランジスタ、駆動トランジスタ
３０９  接地（ＧＮＤ）
３１０，３１２  ノード
３１６  抵抗器
３１８  コンデンサ
４００  画面組立品
４０２  領域
４０４  画面コントロール、区域
４０６  左側
４０８  頂部
４１０  右側
４１２  縁部
４１４  反復群
４１６  緑色表示素子
４１８  青色表示素子
４２０  赤色表示素子
５００  タイミング図
５０２  ＶｓＲ
５０４  ＶｓＧ
５０５  ゲート選択電圧ＶＧ１
５０６  ＶｓＢ
５０７  ゲート選択電圧ＶＧ２
５０９  赤色
５１１  緑色
５１２  デルタｔ
５１３  青色
５１４  赤色画素が充電する
５１６  デルタｔ
５１８  緑色画素が充電する
５２０  デルタｔ
５２２  青色画素が充電する
【図１】
2017054109.tif 000003
【図１Ａ】
2017054109.tif 000004
【図２】
2017054109.tif 000005
【図３】
2017054109.tif 000006
【図４】
2017054109.tif 000007
【図５】
2017054109.tif 000008
【外国語明細書】
2017054109000001.pdf